(57)【要約】【課題】綴じ込まれた紙葉類の良好な閲覧性を確保しつつ、操作性の向上、組立作業性の向上、外観向上、制作コストの低減、等を図ることができる綴じ具及びそれを備えたファイリング用具の技術を提供すること。【解決手段】幅が一定の背表紙１１に固定される底板２１を有する綴じ具であって、底板の両側に少なくとも一方が回動可能に相対配置される二つの側板４、５と、この両側板の間に配置される綴じ込み部６と、両側板の少なくとも一方を水平方向に可動させるスライド手段７とを備える。綴じ込み部は、一つの側板４に着脱自在な装着プレート６１に立設したロッド６２と、このロッドを挿入可能なパイプ６４とを有し、スライド手段によって、相対配置される側板間の間隔を広げることで、綴じ込み部が拡縮自在な構成とした。【選択図】図４
2007320159.tif 000002
【特許請求の範囲】
【請求項１】
幅が一定の背表紙に固定される底板を有する綴じ具であって、
前記底板の両側に少なくとも一方が回動可能に相対配置される二つの側板と、この両側板の間に配置される綴じ込み部と、前記両側板の少なくとも一方を背表紙の幅方向に可動させるスライド手段とを備え、
前記綴じ込み部は、一つの側板に着脱自在な装着プレートに立設したロッドと、このロッドを挿入可能なパイプとを有し、
前記スライド手段によって、相対配置される前記側板間の間隔を広げることで、前記綴じ込み部が拡縮自在な綴じ具。
【請求項２】
幅が一定の背表紙に固定される底板を有する綴じ具であって、
前記底板の両側に回動可能に相対配置される二つの側板と、この両側板の間に配置される綴じ込み部と、前記両側板の少なくとも一方を背表紙の幅方向に可動させるスライド手段とを備え、
前記綴じ込み部は、一つの側板に着脱自在な装着プレートに立設したロッドと、一つの側板に着脱自在な装着プレートに立設し、前記ロッドを挿入可能なパイプとを有し、
前記スライド手段によって、相対配置される前記側板間の間隔を広げることで、前記綴じ込み部が拡縮自在な綴じ具。
【請求項３】
前記スライド手段は、前記底板と背表紙の間に配置される固定プレートと、前記底板と前記固定プレートとの間に摺動自在に配置されるスライドプレートとを備え、前記スライドプレートの一端が前記一つの側板に連結されている、請求項１又は２に記載の綴じ具。
【請求項４】
前記底板の両端部分が前記背表紙へ固定するための平坦部として形成され、その平坦部間の底板部分が隆起部として形成され、その隆起部と背表紙との間に前記固定プレートとスライドプレートが配置されている、請求項１〜請求項３の何れかに記載の綴じ具。
【請求項５】
前記固定プレートと前記スライドプレートとに相互に係わり合い、前記スライドプレートの移動範囲を規制する規制部を設けた、請求項１〜請求項４の何れかに記載の綴じ具。
【請求項６】
前記規制部は、前記固定プレートに設けられ前記底板に向かって隆起する凸部と、前記スライドプレートに設けられそのスライドプレートのスライド方向に延びる長穴とで構成され、この長穴を前記凸部が移動可能な請求項１〜請求項５の何れかに記載の綴じ具。
【請求項７】
前記固定プレートの少なくとも一つの側辺に前記凸部と同じ高さの壁を設け、その壁と前記凸部とで、前記固定プレートと前記底板との間に前記スライドプレートがスライド可能な空間を設けた、請求項１〜請求項６の何れかに記載の綴じ具。
【請求項８】
前記固定プレートは、前記スライドプレートを前記底板から押し出す方向に附勢する附勢手段と、前記スライドプレートを前記底板と前記固定プレートとの間の所定の位置に保持するための係合及びその係合を解除するロック機構とを備える、請求項１〜請求項７の何れかに記載の綴じ具。
【請求項９】
前記附勢手段は、前記固定プレートの中央部と左右の側辺との略中間部にそれぞれ設けられ、前記スライドプレートがスライドする方向に延びる二本のスリットと、これらのスリットに位置するバネ部材と、前記スライドプレートに、前記スリット内を移動し、前記バネ部材を押圧する押圧片とで構成される、請求項１〜請求項８の何れかに記載の綴じ具。
【請求項１０】
前記バネ部材は、前記固定プレートの底部中央から、固定された側板寄りに取り付ける一本のワイヤーで構成される、請求項１〜請求項９の何れかに記載の綴じ具。
【請求項１１】
前記ロック機構は、前記スライドプレートに設けられた爪部と、前記固定プレートに設けられ、自由端が固定プレートの板厚方向へ変位可能に形成された係合片と、この係合片の自由端近くに設けられ、スライドプレートを前記底板の下に押し込んだときに前記爪部が係合する係合孔と、前記底板に沿って装着され、一端が前記底板から突出する棒状の解除レバーと、この解除レバーの所定の位置に、解除レバーの突出部を押したときに、前記係合片を押圧し、前記係合孔から前記爪部の係合を解除する解除片と、この解除レバーの突出部と反対の端部に設けられ、解除レバーの突出部を押さないときは、前記係合片を押圧しない方向に解除レバーを附勢するスプリングとを備える、請求項１〜請求項１０の何れかに記載の綴じ具。
【請求項１２】
前記スライドプレートの端辺に、スライドプレートの移動方向と平行に切起しガイド片を設け、このガイド片が移動可能なガイド用スリットを前記固定プレートに設け、このガイド用スリットの中で前記ガイド片が移動することで、前記スライドプレートのスライド移動を案内するガイドを設けた、請求項１〜請求項１１の何れかに記載の綴じ具。
【請求項１３】
前記スライドプレートの一端が上方へ折り曲げられ、その折り曲げられた端部と側板とを連結し、折り曲げ部と連結部との間に、側板が立て位置にあるときに、側板から突出して、スライドプレートを前記底板の下部に押し込むための押し込み部を設けた請求項１〜請求項１２の何れかに記載の綴じ具。
【請求項１４】
請求項１〜請求項１３の何れかに記載の綴じ具を表紙体の背表紙の内面側に装備したファイリング用具。
【発明の詳細な説明】
【技術分野】
【０００１】
本発明は、綴じ穴付きの書類やシート等の紙葉類を綴じ込むための綴じ具及びそれを備えたファイリング用具の技術に関する。
【背景技術】
【０００２】
ファイリング用具においては、表紙体の背表紙の内面側に、綴じ具が固定されている。この綴じ具としては、従来から種々のタイプのものが知られている。中でも、多数枚の書類等を綴じ込むことができる厚手のファイリング用具では、例えば、底板と、この底板の左右両側に配置された一対の側板と、この側板間に差し渡される綴じ棒付きの綴じ込み部とを備える綴じ具が広く採用されている。
【０００３】
この種の綴じ具を備えたファイリング用具では、綴じ具の左右の側板が綴じ具の底板に固定されていることから、紙葉類の綴じ込み幅は左右の側板間の間隔により定まり、常に一定となる。そのため、紙葉類の綴じ込み量が多いと、中間の紙葉類間の間隔を開けられず、紙葉類が綴じ込まれたままでは、綴じ具に近い部分が閲覧し難かった。また、例えば机上にファイルを置いて閲覧するときに、綴じ込み物の自重によって綴じ具が引き起こされ、自然に表紙が閉じてしまうことが多々あった。
【０００４】
特許文献１には、側板（綴じ板）を底板から外した状態で綴じ軸に沿って移動可能に構成することで、書類をできるだけ平面的な見開き状態にして、閲覧容易性、筆記容易性を確保し、さらに書類の加除整理の容易性等にも配慮したファイリング用具の技術が記載されている。
【０００５】
特許文献２には、表紙体の背表紙の幅と綴じ具の幅の両方を一体に変化させることができるファイリング用具の技術が記載されている。このファイリング用具では、綴じ具に密となる状態で紙葉類を綴じた場合でも、綴じた紙葉類を好適に見開いて閲覧可能にすることができる。
【０００６】
特許文献３には、背表紙の内面側に取り付ける綴じ具の底板の幅を拡縮できるファイリング用具の技術が記載されている。この技術は、綴じ具の底板を、一方の側板付きの固定台板と、他方の側板付きの摺動台板とで構成し、それら左右の側板間に、紙葉類の綴じ込み部を構成したものである。綴じ込み部は、一方の側板に着脱可能な装着プレートから突出するパイプと、そのパイプに挿入できるよう、他方の側板に着脱可能な装着プレートから突出するロッドとを備えている。したがって、このファイリング用具では、閲覧容易性、筆記容易性等を確保することができる。
【特許文献１】特開２００３−２８５５８６号公報
【特許文献２】特開２００５−１３２０６５号公報
【特許文献３】実公昭５７−３８３０１号公報
【発明の開示】
【発明が解決しようとする課題】
【０００７】
各特許文献に記載の技術では、綴じ具の綴じ込み幅を変更できるので、紙葉類の綴じ込み量が多くても見開きを良くし、中間に位置する紙葉類でも容易に閲覧することができるものの、次のような課題がある。
【０００８】
特許文献１の技術では、紙葉類を見開き状態にする際に、側板（綴じ板）を底板から外したのち、側板を綴じ軸に沿って移動させる操作を必要とするため、その操作性が悪いだ
けでなく、綴じ具全体の外観上の体裁も良くないという問題がある。
【０００９】
特許文献２の技術では、綴じ具の綴じ込み幅を変更するのに、表紙体の背表紙の幅も変更する構成としているため、ファイリング用具全体の構造が複雑であり、さらに、専用の表紙体に専用の綴じ具を必要とするため、綴じ具の転用及び表紙体の転用等ができない問題もある。
【００１０】
特許文献３の技術では、綴じ具の底板を、背表紙に固定する固定台板と、固定台板の上に配置する摺動台板とで構成しているため、綴じ具を背表紙に着脱可能に設ける場合に、固定台板上の摺動台板が邪魔になり、組立作業性が悪いという問題がある。さらに、綴じ具の底板を固定台板と摺動台板とで構成する比較的簡易な構造で、綴じ具の綴じ込み幅（底板の幅）を変更できるものの、その綴じ込み幅を変更する際に、摺動台板自体を手作業による直接操作で可動させなければならないという操作上の問題もある。特に、この操作性の点については、各特許文献の何れにおいても、ワンタッチ操作で行うことができないという操作性の問題がある。
【００１１】
よって、本発明の課題は、綴じ込まれた紙葉類の良好な閲覧性を確保しつつ、操作性の向上、組立作業性の向上、外観向上等を図ることができ、さらに、専用の表紙を必要とせず、様々な表紙への取付けが可能な綴じ具及びそれを備えたファイリング用具の技術を提供することにある。
【課題を解決するための手段】
【００１２】
前記課題を解決するため、本発明では以下の手段を採用した。
本発明は、幅が一定の背表紙に固定される底板を有する綴じ具であって、前記底板の両側に少なくとも一方が回動可能に相対配置される二つの側板と、この両側板の間に配置される綴じ込み部と、前記両側板の少なくとも一方を水平方向（背表紙の幅方向）に可動させるスライド手段とを備え、前記綴じ込み部は、一つの側板に着脱自在な装着プレートに立設したロッドと、このロッドを挿入可能なパイプとを有し、前記スライド手段によって、相対配置される前記側板間の間隔を広げることで、前記綴じ込み部が拡縮自在な構成とした。
【００１３】
本発明の綴じ具によれば、側板間の間隔を広げるスライド手段を備えているので、綴じ込まれた紙葉類の良好な閲覧性を確保しつつ、綴じ込み部を拡縮するための操作性の向上を図ることができる。また綴じ具の底板の中央付近にスライド手段を設けることによって、綴じ具の底板を背表紙に対して着脱自在な構造とするのに必要なスペースを綴具の底板に確保することができる。さらに、側板自体をスライドさせるので、構造の簡素化による外観向上等も併せて図ることができる。
【００１４】
本発明は、幅が一定の背表紙に固定される底板を有する綴じ具であって、前記底板の両側に回動可能に相対配置される二つの側板と、この両側板の間に配置される綴じ込み部と、前記両側板の少なくとも一方を水平方向（背表紙の幅方向）に可動させるスライド手段とを備え、前記綴じ込み部は、一つの側板に着脱自在な装着プレートに立設したロッドと、一つの側板に着脱自在な装着プレートに立設し、前記ロッドを挿入可能なパイプとを有し、前記スライド手段によって、相対配置される前記側板間の間隔を広げることで、前記綴じ込み部が拡縮自在な構成とした。  
【００１５】
この発明の綴じ具においても、綴じ込まれた紙葉類の良好な閲覧性を確保しつつ、操作性の向上、作業性の向上、外観向上等を図ることができる。この場合、特に、綴じ込み部を両方の側板の何れ側からでも開閉することができる綴じ具として好適な形態となる。
【００１６】
本発明において、前記スライド手段は、前記底板と前記背表紙の間に配置される固定プレートと、前記底板と前記固定プレートとの間に摺動自在に配置されるスライドプレートとを備え、前記スライドプレートの一端が前記一つの側板に連結されている構成とすることが望ましい。
【００１７】
このように構成した場合、一つの側板を支持するスライドプレートは底板と別の部材になる。従って、従来のように側板間の間隔を拡縮可能にするために底板を左右に分割する構造にする必要もなくなる。これにより、底板の形状を背表紙に対して着脱可能に固定し易い形状に維持あるいは加工することができる。即ち、綴じ具の底板を、その本来の機能を発揮し易く、制約を受けにくい構成とすることが可能になる。
【００１８】
本発明においては、前記底板の両端部分が前記背表紙へ固定するための平坦部として形成され、その平坦部間の底板部分が隆起部として形成され、その隆起部と背表紙との間に前記固定プレートとスライドプレートが配置される構成とすることが望ましい。このようにすれば、底板の隆起部の下に固定プレートとスライドプレートを重ねて収納することができる。さらに、平坦部は隆起部よりも低くなっているので、この平坦部に、底板を背表紙に着脱自在に固定するための厚みのある留め具を配置するのに制約を受けない構成とすることができる。
【００１９】
本発明においては、前記固定プレートと前記スライドプレートとに相互に係わり合い、前記スライドプレートの移動範囲を規制する規制部を設けた構成とすることが望ましい。このようにすれば、両側板間の間隔を必要以上に拡げないように一定に保持することができる。
【００２０】
ここで、前記規制部は、前記固定プレートに設けられ前記底板に向かって隆起する凸部と、前記スライドプレートに設けられそのスライドプレートのスライド方向に延びる長穴とで構成され、この長穴内を前記凸部が移動可能であることが望ましい。このようにすれば、スライドプレートと固定プレートを上下に重ねる簡易な構造において規制部を構成することができる。
【００２１】
本発明においては、前記固定プレートの少なくとも一つの側辺に前記凸部と同じ高さの壁を設け、その壁と前記凸部とで、前記固定プレートと前記底板との間に前記スライドプレートがスライド可能な空間を設けた構成とすることが望ましい。このように構成した場合、凸部の高さ以下の範囲内でスライドプレートがスライド可能な空間を形成できる。
【００２２】
本発明において、前記固定プレートは、前記スライドプレートを前記底板から押し出す方向に附勢する附勢手段と、前記スライドプレートを前記底板と前記固定プレートとの間の所定の位置に保持するための係合及びその係合を解除するロック機構とを備えることが望ましい。このように構成すれば、ロック機構のロック解除操作により、スライドプレートを附勢手段にて自動的に押し出すことが可能になるので、紙葉類を閲覧しやすい見開き状態にするための操作を極めて簡便に行うことができる。
【００２３】
ここで、前記附勢手段は、前記固定プレートの中央部と左右の側辺との略中間部にそれぞれ設けられ、前記スライドプレートがスライドする方向に延びる二本のスリットと、これらのスリットに位置するバネ部材と、前記スライドプレートに、前記スリット内を移動し、前記バネ部材を押圧する押圧片とで構成することが望ましい。
【００２４】
このように構成した場合、二本のスリットは固定プレートの中央部から左右に等間隔で振り分けられた配置となり、かつ、それぞれのスリットにバネ部材が位置するので、附勢手段が並行して一対配置された形態となる。したがって、スライドプレートを偏ることな
くバランス良くスライドさせることができる。また、スライドプレートの押圧片はスリット内を移動すると共に、そのスリット内にバネ部材が位置する構成としているので、附勢手段全体の厚さを抑制して薄型化を図ることができる。
【００２５】
前記バネ部材としては、前記固定プレートの底部中央から、固定された側板寄りに取り付ける一本のワイヤーで構成することが望ましい。その場合、一本のワイヤーの中間部をコイル状に巻回し、その巻回部分を固定プレートに設けた突起軸に嵌め込んでセット状態とし、両端をそれぞれのスリット内に位置させる構成とすることもできる。
【００２６】
前記ロック機構としては、前記スライドプレートに設けられた爪部と、前記固定プレートに設けられ、自由端が固定プレートの板厚方向へ変位可能に形成された係合片と、この係合片の自由端近くに設けられ、スライドプレートを前記底板の下に押し込んだときに前記爪部が係合する係合孔と、前記底板に沿って装着され、一端が前記底板から突出する棒状の解除レバーと、この解除レバーの所定の位置に、解除レバーの突出部を押したときに、前記係合片を押圧し、前記係合孔から前記爪部の係合を解除する解除片と、この解除レバーの突出部と反対の端部に設けられ、解除レバーの突出部を押さないときは、前記係合片を押圧しない方向に解除レバーを附勢するスプリングとを備える構成とすることが望ましい。
【００２７】
ロック機構をこのように構成した場合、解除レバーの突出部を押すだけで、解除片により係合片を押圧して、係合孔から爪部の係合を解除し、ロック機構をロック解除状態にすることができる。これにより、ロック解除操作をワンタッチで行うことができる。
【００２８】
本発明においては、前記スライドプレートの端辺に、スライドプレートの移動方向と平行に切起しガイド片を設け、このガイド片が移動可能なガイド用スリットを前記固定プレートに設け、このガイド用スリットの中で前記ガイド片が移動することで、前記スライドプレートのスライド移動を案内するガイドを設けた構成とすることが望ましい。このようにすれば、スライドプレートのスライド動作を更に円滑にバランス良く行わせることができる。
【００２９】
本発明においては、前記スライドプレートの一端が上方へ折り曲げられ、その折り曲げられた端部と前記側板とを連結し、折り曲げ部と連結部との間に、側板が立て位置にあるときに、側板から突出して、スライドプレートを前記底板の下部に押し込むための押し込み部を設けた構成とすることが望ましい。
【００３０】
このように側板から突出する押し込み部を設けた場合、例えば表表紙を利用してスライドプレートの押し込み操作を行うことができる。即ち、表表紙を閉じる方向へ回動させることで、その表表紙の内面を押し込み部に当てて押し込む操作を行うことができる。また、この押し込み部を、折り曲げ部と連結部との間に設けることで、表表紙を閉じるときにその内面に押し込み部が最初に当たり易くなるだけでなく、スライドプレート自体を直接的に押し込む構成として、押し込む力を効率的にスライドプレートに伝達することができる。
【００３１】
ここで、以上のような構成の綴じ具は、表紙体の背表紙の内面側に装備してファイリング用具として構成することが大変好適である。
【発明の効果】
【００３２】
本発明によれば、綴じ込まれる紙葉類の良好な閲覧性を確保しつつ、操作性の向上、組立作業性の向上、外観向上等を図ることができる綴じ具及びそれを備えたファイリング用具を得ることができる。
【発明を実施するための最良の形態】
【００３３】
以下、本発明の好適な実施の形態について、図面を参照して説明する。
図１は、本発明の実施形態に係る綴じ具を備えたファイリング用具の斜視図である。図２は留め具を用いて綴じ具を表紙体に固定する例を示す分解斜視図である。図３は綴じ具の斜視図で、図４はその綴じ込み部を拡げた状態の斜視図である。図５は綴じ具の平面図であり、図６はその底面図である。図７は装着プレート及びロッド付きの綴じ込み金具の斜視図である。図８は一つの側板を連結した底板の斜視図である。図９はスライドプレートと固定プレートの関係を示す分解斜視図である。
【００３４】
（実施形態）
この実施形態のファイリング用具Ｆは、表紙体１の背表紙１１の内面側に金属製の綴じ具２を備えている。表紙体１は厚紙や合成樹脂製シート等により形成されている。綴じ具２は、その底板２１部分が、一定の幅Ｗの背表紙１１に対して留め具３、３により取り付けられている。
【００３５】
留め具３は、綴じ具２の底板２１部分を背表紙１１の内面側に着脱自在に固定するためのものであって、図２に示すように、合成樹脂製のベース部材３１と、そのベース部材３１に装着する合成樹脂製の板状のスライド部材３２とで構成されている。ベース部材３１は、背表紙１１の外側に配置される薄いプレート状の抜け止め部３１ａと、抜け止め部３１ａから突出し、背表紙１１及び底板２１を貫通して底板２１上に突出する一対の突出部３１ｂ、３１ｂと、各突出部３１ｂの両側にそれぞれ設けられた係合部３１ｃ、３１ｃとを有している。そして、スライド部材３２には、ベース部材３１に対する装着時に各係合部３１ｃにそれぞれ係合する４つの係合片３２ａと、スライド操作用の凹所３２ｂとが設けられている。
【００３６】
この留め具３を利用して、綴じ具２を表紙体１の背表紙１１に着脱自在に固定するには、まず、背表紙１１の内側に綴じ具２をセットし、次いで、背表紙１１の外側からその背表紙１１に設けた角孔１１ａ及び底板２１に設けた角孔２４に対して、ベース部材３１の各突出部３１ｂを挿入して貫通させる。次いで、スライド部材３２を二つともそれぞれ差し込んで装着する。表紙体１と綴じ具２を分離する場合には、スライド部材３２の凹所３２ｂを利用して、そのスライド部材３２を二つとも引き抜けばよい。
【００３７】
綴じ具２は、綴じ穴付きの紙葉類Ｓ（図２０参照）を抜き差し可能に綴じ込むものであって、底板２１の両側（左右）に回動可能に相対配置される二つの側板４、５と、この両側板４、５の間に配置される綴じ込み部６と、両側板４、５の少なくとも一方（実施例では側板４）を水平方向（背表紙の幅Ｗ方向）に可動させるスライド手段７とを備えている。綴じ込み部６は、図４及び図７に示すように、一つの側板４に着脱自在な装着プレート６１に立設したロッド６２と、一つの側板５に着脱自在な装着プレート６３に立設し、ロッド６２を挿入可能なパイプ６４とを有する綴じ込み金具により構成されている。そして、スライド手段７によって、相対配置された両側板４，５間の間隔を拡げることで、綴じ込み部６が拡縮自在な構成としている。
【００３８】
綴じ込み部６のロッド６２は装着プレート６１の長手方向に間隔をおいて一対設けられている。従って、パイプ６４も装着プレート６３の長手方向に間隔をおいて一対設けられている。
【００３９】
綴じ具２の底板２１は、図５及び図８に示すように平面形状がほぼ長方形であって、その長さ方向の両端部分が、背表紙１１へ固定するための平坦部２２、２２として形成され、その平坦部２２、２２間の部分が一様な高さで隆起した隆起部２３として形成されてい
る。平坦部２２の裏面は背表紙１１の内面に面接触できる平坦面として形成されている。
【００４０】
平坦部２２には、留め具３のベース部材３１の突出部３１ｂ、３１ｂを平坦部２２上に導くための前述の角孔２４、２４が設けられている。従って、この平坦部２２、２２上に、前述したスライド部材３２、３２がそれぞれ装着される。２４ａは背表紙１１の角孔１１ａに対する位置決め片を示している。
【００４１】
図１に示すように、このスライド部材３２の装着状態において、そのスライド部材３２の上面と隆起部２３の上面とがほぼ同一高さとなるように設計されている。
【００４２】
スライド手段７は、底板２１の隆起部２３と背表紙１１の間に配置される固定プレート８と、隆起部２３と固定プレート８との間に摺動自在に配置されるスライドプレート９とを備えている。そして、図９及び図１０に示すように、スライドプレート９の一端に一つの側板４が連結されている。スライドプレート９の一端部は立ち上がり部９１に形成され、この立ち上がり部９１にヒンジ９２を介して側板４が一定の範囲で縦回動可能に連結されている。
【００４３】
さらに、この側板４の内側には、ヒンジ９２のヒンジピン９３を介して（兼用して）、装着プレート６１の下縁６１ｂを支持する下縁支持プレート４１が一定の範囲で縦回動可能に設けられている。このヒンジピン９３には、下縁支持プレート４１の上縁４１ａ側を側板４の内面４ａに接触させる方向に附勢するコイルバネ９４が装着されている。
【００４４】
側板４の上縁中央部には、装着プレート６１の上縁６１ａに係止させるために内側へ曲げたフック部４２が形成されている。これにより、側板４に対してロッド６２付きの装着プレート６１を着脱可能に装着できる構成となっている。
【００４５】
底板２１の幅方向（背表紙１１の幅方向）の一側（側板５側）には、スライドプレート９の立ち上がり部９１と同様の立ち上げ部２６が形成され、この立ち上げ部２６にヒンジ２７を介して側板５が一定の範囲で縦回動可能に連結されている。
【００４６】
さらに、この側板５の内側には、図８に示すように、ヒンジ２７のヒンジピン２８を介して（兼用して）、装着プレート６３の下縁６３ｂを支持する下縁支持プレート５１が一定の範囲で縦回動可能に設けられている。このヒンジピン２８には、下縁支持プレート５１の上縁５１ａ側を側板５の内面５ａに接触させる方向に附勢するコイルバネ２９が装着されている。
【００４７】
側板５の上縁中央部には、装着プレート６３の上縁６３ａに係止させるために内側へ曲げたフック部５２が形成されている。これにより、側板５に対してパイプ６４付きの装着プレート６３を着脱可能に装着できる構成となっている。
【００４８】
なお、二つの装着プレート６１、６３自体は、図７に示すように、それぞれのロッド６２、パイプ６４を除けばほぼ同一形状に形成されていて、一方の側板４及び他方の側板５の何れにも装着可能となっている。従って、この綴じ込み部６を構成する綴じ込み金具は左右で互いに入れ替えて使用することができる。
【００４９】
固定プレート８は合成樹脂製であって、隆起部２３の裏面側に形成されるスペース（隆起部２３の裏面と背表紙１１の内面との間に形成されるスペース）内に嵌り込む大きさの平面長方形のプレート状に形成されている（図９参照）。そして、この固定プレート８とスライドプレート９との間に、スライドプレート９の移動範囲を規制する規制部８０が設けられている。この規制部８０は、両側板４、５間の間隔を必要以上に拡げないように一
定に保持するために設けられたものである。
【００５０】
この規制部８０は、固定プレート８に設けられ、底板２１に向かって隆起する凸部８１と、スライドプレート９に設けられ、そのスライドプレート９のスライド方向に延びる長穴９５とで構成され、この長穴９５を凸部８１が移動可能になっている。この凸部８１と長穴９５からなる規制部８０は、スライドプレート９のスライド時のバランスに配慮して一対設けられている。
【００５１】
固定プレート８の側辺には、凸部８１と同じ高さの壁８２が設けられ、その壁８２と凸部８１とで、固定プレート８と底板２１との間にスライドプレート９がスライド可能な空間αが設けられている（図１５参照）。壁８２は、平面矩形状の固定プレート８の４つの側辺のうち、スライドプレート９が出入りする側の側辺（長辺）を除く３つの側辺に設けられている。この壁８２は、３つの側辺のうち少なくとも一つの側辺に設けてもその機能を発揮させることができる。なお、この壁８２は、同じ高さの複数の突起や突条で構成することもできる。
【００５２】
図６、図９に示すように、固定プレート８は、スライドプレート９を底板２１から押し出す方向に附勢する附勢手段９０と、スライドプレート９を底板２１と固定プレート９との間の所定の位置に保持するための係合及びその係合を解除するロック機構１００とを備えている。
【００５３】
附勢手段９０は、固定プレート８の中央部と左右の側辺との略中間部にそれぞれ設けられ、スライドプレート９がスライドする方向に延びる二本のスリット８３、８３と、これらのスリット８３に位置するバネ部材８４と、スライドプレート９に設けられ、スリット８３内を移動してバネ部材８４を押圧する押圧片９６とで構成されている。
【００５４】
前記バネ部材８４は、固定プレート８の底部中央から、固定された側板５寄りに取り付ける一本のワイヤーで構成されている。ここでは、一本のワイヤーの中間部をコイル状に巻回し、その巻回部分を固定プレート８に設けた突起軸８５に嵌め込んでセット状態としている。
【００５５】
ロック機構１００は、スライドプレート９に設けられ、固定プレート８と係わってスライドプレート９を固定する爪部９７と、固定プレート８に設けられ、自由端がスライドする側板４側へ向いている舌片状の係合片８６と、この係合片８６に設けられ、スライドプレート９を底板２１の下に押し込んだときに、爪部９７が係合する係合孔８７と、底板２１に沿って装着され、一端が底板２１から突出する棒状の解除レバー８８と、この解除レバー８８の所定の位置に設けられ、解除レバー８８の突出部８８ａを押したときに、係合片８６を押圧し、係合孔８７から爪部９７の係合を解除する解除片８９と、解除レバー８８の突出部８８ａと反対の端部に設けられ、解除レバー８８の突出部８８ａを押さないときは、係合片８６を押圧しない方向に解除レバー８８を附勢するスプリング８８ｂとを備えている。
【００５６】
ここで、係合片８６の自由端は、固定プレート８の二つの長辺のうち、スライドする側板４側の長辺の中央部に位置するように設定されている。固定プレート８には、固定プレート８を形成する樹脂の弾力性を利用して、係合片８６の自由端が固定プレート８の板厚方向に弾性変位できるようにするための切り欠き８６ａ、８６ａが形成されている。この切り欠き８６ａ、８６ａは、固定プレート８の側板４側の長辺から、係合片８６の両側辺に沿って並行する２条のスリット状切り欠きとして形成されている。従って、係合片８６の自由端は固定プレート８の側板４側の長辺と同じ位置にあり、係合片８６の基端は固定プレート８と連続している。
【００５７】
係合片８６の自由端付近の表面には、解除レバー８８の解除片８９が接触する接触面８６ｂが形成されている。解除片８９は解除レバー８８の長さ方向の中央部から接触面８６ｂ側へ突出し、かつ解除レバー８８の長さ方向に延びている。この解除片８９の下面は、解除レバー８８の突出部８８ａを押したときに、係合片８６の接触面８６ｂに対して次第に強く接触して係合片８６の自由端を下方へ押し下げることができるテーパ面に形成されている（図１５参照）。
【００５８】
解除レバー８８には、固定プレート８に対して真っ直ぐにスライド可能に組み付けるために、固定プレート８に設けたガイド溝８ｄ、８ｄに案内されて移動可能なガイド突条８８ｄ（図１１参照）が解除レバー８８の長さ方向に間隔をおいて一対設けられている。固定プレート８の裏面側には、固定プレート８に装着された解除レバー８８の下面を支える突片８ｅ、８ｅが設けられている。これにより、解除レバー８８を固定プレート８に脱落しないように装着して（組み付けて）おくことができるように配慮している。
【００５９】
底板２１の、スライドする側板４側の側辺部には、図８に示すように、解除レバー８８の先端側を収容する先端収容部２ａと、突出部８８ａ近くの一部を収容する部分収容部２ｂとが設けられている。これらの収容部２ａ、２ｂは底板２１の一部を断面逆Ｕ形状に曲げ加工して形成してある。従って、この先端収容部２ａと部分収容部２ｂの開放された下面は背表紙１１の内面で閉じられる形態となる。
【００６０】
図６、図９に示すように、スライドプレート９には、その端辺に、スライドプレートの移動方向と平行に切起した２つのガイド片９ａ、９ａが設けられている。固定プレート８には、ガイド片９ａ、９ａが移動可能なガイド用スリット８ａ、８ａが設けられている。これにより、ガイド用スリット８ａ、８ａの中でガイド片９ａ、９ａが移動し、スライドプレート９のスライド移動を円滑に案内するガイド機構が構成されている。
【００６１】
なお、スライドプレート９の立ち上がり部９１には、側板４が立て位置（起立状態）にあるときに、側板４の外面よりもさらに外方へ突出して、スライドプレート９を隆起部２３の下部に押し込むための押し込み部９８が設けられている。この押し込み部９８は、手指や表表紙１２との接触が滑らかなように、立ち上がり部９１の一部を切り起こして側板４の外方へ突出させた部分をＵ形状に折り返した形状としている。
【００６２】
押し込み部９８の突出寸法を適宜調整することで、図１８及び図１９に示すように、表表紙１２を利用してスライドプレート９の押し込み操作を行うことができる。即ち、表表紙１２を閉じる方向へ回動させることで、その表表紙１２の内面を押し込み部９８に当てて押し込む操作である。
【００６３】
その場合には、表表紙１２の内面が押し込み部９８の部分にのみ接触し側板４の外面等に接触しない程度の突出寸法とすることが好ましい。なぜなら、側板４等を利用してスライドプレート９を押し込む操作よりも、スライドプレート９を直接押し込む操作とする方が、押し込む力を効率的にスライドプレート９に伝達できるからである。
【００６４】
図１５〜図１７は、綴じ具２の附勢手段９０及びロック機構１００を利用したスライドプレート９のスライド動作を示すものである。図１５（ａ）及び図１６に示すように、スライドプレート９及び側板４が通常位置（綴じ込み部６が通常の収縮位置）にある状態を示す。この状態から解除レバー８８の突出部８８ａを図１６において矢印方向に押すと、図１５（ｂ）に示すように、解除片８９の下面（テーパ面）が係合片８６の接触面８６ｂに次第に強く接触し、係合片８６の自由端を下方へ押し下げる（弾性変位させる）。
【００６５】
これにより、係合片８６の係合孔８７からスライドプレート９の爪部９７が外れ、ロック機構１００のロック状態が解除される。このロック解除に伴い、附勢手段９０が作用し、図１５（ｃ）及び図１７に示すようにスライドプレート９が底板２１から飛び出す方向にスライドし、側板４、５間の間隔が大きくなる。この状態では、図２０に示す通常状態よりも、図２１に示すように多数枚綴じ込まれた紙葉類Ｓを充分に大きく見開きすることができる。なお、解除レバー８８の突出部８８ａを押す操作を止めれば、解除レバー８８はスプリング８８ｂによって元の位置に復帰する。
【００６６】
側板４、５間の間隔を元に戻す場合には、押し込み部９８を手で押す操作を行えば、図１５（ａ）に示すように、係合孔８７に爪部９７が係合する元の収縮状態に容易に戻すことができる。勿論、この操作は、図１８及び図１９で示したように、表表紙１２を閉じる操作を利用して行うこともできる。
【００６７】
なお、上記の実施形態では、側板４、５の両方を縦回動可能に構成した例を示しているが、何れか一方の側板のみを縦回動可能に構成した綴じ具にも本発明を適用することができる。また、実施形態では側板４のみをスライド可能に構成した例を示したが、例えばスライドプレートを左右一対として、側板４、５の両方をスライド可能に構成してもよい。さらに、綴じ具の固定方法は、脱着部材を用いずに、リベット等で綴じ具の底板を表紙に固定してもよい。
【図面の簡単な説明】
【００６８】
【図１】本発明の実施形態に係る綴じ具を備えたファイリング用具の斜視図。
【図２】本発明の実施形態に係る綴じ具を備えたファイリング用具の分解斜視図。
【図３】本発明の実施形態に係る綴じ具の通常状態を示す斜視図。
【図４】本発明の実施形態に係る綴じ具の拡張状態を示す斜視図。
【図５】本発明の実施形態に係る綴じ具の平面図。
【図６】本発明の実施形態に係る綴じ具の底面図。
【図７】本発明の実施形態に係る綴じ具の綴じ込み金具の斜視図。
【図８】本発明の実施形態に係る綴じ具の底板と側板を示す斜視図。
【図９】本発明の実施形態に係る綴じ具のスライドプレートと固定プレートを示す分解斜視図。
【図１０】図５のＡ−Ａ線に沿った断面図。
【図１１】図５のＢ−Ｂ線に沿った断面図。
【図１２】本発明の実施形態に係る綴じ具の正面図。
【図１３】本発明の実施形態に係る綴じ具の左側面図。
【図１４】図５のＣ−Ｃ線に沿った断面図。
【図１５】本発明の実施形態に係る綴じ具の動作説明用の断面図。
【図１６】本発明の実施形態に係る綴じ具の動作説明用の底面図。
【図１７】本発明の実施形態に係る綴じ具の動作説明用の底面図。
【図１８】本発明の実施形態に係る綴じ具の動作説明図。
【図１９】本発明の実施形態に係る綴じ具の動作説明図。
【図２０】本発明の実施形態に係る綴じ具の作用説明図。
【図２１】本発明の実施形態に係る綴じ具の作用説明図。
【符号の説明】
【００６９】
１  表紙体
１１  背表紙
２  綴じ具
２１  底板
３  留め具
３１  ベース部材
３２  スライド部材
４  側板
５  側板
６  綴じ込み部（綴じ込み金具）
６１、６３  装着プレート
６２  ロッド
６３  パイプ
７  スライド手段
８  固定プレート
８０  規制部
８１  凸部
８２  壁
８３  スリット
８４  バネ部材
８５  突起軸
８６  係合片
８７  係合孔
８８  解除レバー
８８ａ  突出部
８９  解除片
９  スライドプレート
９０  附勢手段
９１  立ち上がり部
９２  ヒンジ
９３  ヒンジピン
９４  コイルバネ
９５  長穴
９６  押圧片
９７  爪部
９８  押し込み部
１００  ロック機構
Ｓ  紙葉類
【図１】
2007320159.tif 000003
【図２】
2007320159.tif 000004
【図３】
2007320159.tif 000005
【図４】
2007320159.tif 000006
【図５】
2007320159.tif 000007
【図６】
2007320159.tif 000008
【図７】
2007320159.tif 000009
【図８】
2007320159.tif 000010
【図９】
2007320159.tif 000011
【図１０】
2007320159.tif 000012
【図１１】
2007320159.tif 000013
【図１２】
2007320159.tif 000014
【図１３】
2007320159.tif 000015
【図１４】
2007320159.tif 000016
【図１５】
2007320159.tif 000017
【図１６】
2007320159.tif 000018
【図１７】
2007320159.tif 000019
【図１８】
2007320159.tif 000020
【図１９】
2007320159.tif 000021
【図２０】
2007320159.tif 000022
【図２１】
2007320159.tif 000023